(57)【特許請求の範囲】
【請求項１】
獣類を捕獲するための捕獲空間を具備する檻部と、
前記捕獲空間への獣類の入出が可能なように前記檻部の側面に設けられる複数の開口部と、
前記捕獲空間内の獣類の頭数を検知する、頭数検知手段と、
前記頭数検知手段により検知される獣類の頭数が、予め設定される捕獲目標頭数以上となった場合に、前記捕獲空間内の獣類を捕獲する獣類捕獲手段と、
を備え、
前記頭数検知手段は、前記開口部における獣類の通過方向に互いに間隔を隔てて並設され、前記開口部を通過する獣類を検出可能な複数のセンサを具備しており、前記複数のセンサのそれぞれによる獣類の検出タイミングに基づいて、前記捕獲空間への進入及び前記捕獲空間からの退出の何れであるかを識別し、その識別結果に基づいて、前記捕獲空間内の獣類の頭数を検知するように構成されている、
獣類捕獲装置。
【請求項２】
前記複数の開口部毎に前記識別結果を記録する記録部をさらに備える、
請求項１に記載の獣類捕獲装置。
【請求項３】
前記記録部は、前記識別結果と前記開口部を獣類が通過した時刻とを対応付けて記録するように構成されている、
請求項２に記載の獣類捕獲装置。
【請求項４】
前記頭数検知手段により検知される獣類の頭数に基づいて、前記獣類捕獲手段により、前記捕獲空間内の獣類の捕獲を行う、第１の動作モードと、
前記獣類捕獲手段による前記捕獲空間内の獣類の捕獲を行わずに、前記記録部への入出情報の記録を行う、第２の動作モードと、
を選択的に実行可能なように構成されている、
請求項１乃至３の何れかに記載の獣類捕獲装置。
【請求項５】
前記獣類捕獲手段は、前記複数の開口部を閉鎖することで、前記捕獲空間内の獣類を捕獲するように構成されている、
請求項１乃至４の何れかに記載の獣類捕獲装置。
【請求項６】
前記檻部は、複数の側面ユニットと、複数の連結部材と、を有し、
前記複数の側面ユニットが、前記連結部材を用いて互いに連結自在に構成されており、
前記複数の側面ユニットが一定の領域を囲むように横方向に並べられ、隣り合う前記側面ユニット同士が前記連結部材を用いて連結されることにより、前記捕獲空間を形成する、
請求項１乃至５の何れかに記載の獣類捕獲装置。
【発明の詳細な説明】
【技術分野】
【０００１】
本発明は、野山に生息する害獣等の獣類を捕獲するために用いる獣類捕獲装置に関する。
【背景技術】
【０００２】
従来、野山に生息する有害鳥獣を捕獲する手段として、種々の罠又は捕獲装置が開発、開示されている。特許文献１では、隣接する複数の面それぞれに扉部を有しており、感知部が獣類の進入を感知すると、複数の前記扉部を同時に閉鎖するよう構成される獣類の捕獲装置が開示されている。これによれば、隣接する面それぞれに扉部を有しており、捕獲装置は開放されているため、捕獲装置に対する獣類の警戒心を和らげることができ、容易に獣類を捕獲装置内部に誘い入れることができる。
【先行技術文献】
【特許文献】
【０００３】
【特許文献１】特開２００７−３００８４７号公報
【発明の概要】
【発明が解決しようとする課題】
【０００４】
しかしながら、上記の従来の獣類の捕獲装置では、装置内部に進入した獣類がたとえ１頭であったとしても、感知部が獣類の進入を感知すると、複数の扉部全てを閉鎖してしまうため、一度に複数頭の獣類を捕獲することが困難であるという問題がある。
【０００５】
本発明は斯かる事情に鑑みてなされたものであり、その主たる目的は、上記課題を解決することができる獣類捕獲装置を提供することにある。
【課題を解決するための手段】
【０００６】
上述の課題を解決するために、本発明の一の態様の獣類捕獲装置は、獣類を捕獲するための捕獲空間を具備する檻部と、前記捕獲空間への獣類の入出が可能なように前記檻部の側面に設けられる複数の開口部と、前記捕獲空間内の獣類の頭数を検知する、頭数検知手段と、前記頭数検知手段により検知される獣類の頭数が、予め設定される捕獲目標頭数以上となった場合に、前記捕獲空間内の獣類を捕獲する獣類捕獲手段と、を備え、前記頭数検知手段は、前記開口部における獣類の通過方向に互いに間隔を隔てて並設され、前記開口部を通過する獣類を検出可能な複数のセンサを具備しており、前記複数のセンサのそれぞれによる獣類の検出タイミングに基づいて、前記捕獲空間への進入及び前記捕獲空間からの退出の何れであるかを識別し、その識別結果に基づいて、前記捕獲空間内の獣類の頭数を検知するように構成されている。
【０００７】
この態様において、前記複数の開口部毎に前記識別結果を記録する記録部をさらに備えていてもよい。
【０００８】
この態様において、前記記録部は、前記識別結果と前記開口部を獣類が通過した時刻とを対応付けて記録するように構成されていてもよい。
【０００９】
この態様において、前記頭数検知手段により検知される獣類の頭数に基づいて、前記獣類捕獲手段により、前記捕獲空間内の獣類の捕獲を行う、第１の動作モードと、前記獣類捕獲手段による前記捕獲空間内の獣類の捕獲を行わずに、前記記録部への入出情報の記録を行う、第２の動作モードと、を選択的に実行可能なように構成されていてもよい。
【００１０】
この態様において、前記獣類捕獲手段は、前記複数の開口部を閉鎖することで、前記捕獲空間内の獣類を捕獲するように構成されていてもよい。
【００１１】
この態様において、前記檻部は、複数の側面ユニットと、複数の連結部材と、を有し、前記複数の側面ユニットが、前記連結部材を用いて互いに連結自在に構成されており、前記複数の側面ユニットが一定の領域を囲むように横方向に並べられ、隣り合う前記側面ユニット同士が前記連結部材を用いて連結されることにより、前記捕獲空間を形成するよう構成されていてもよい。
【発明の効果】
【００１２】
本発明に係る獣類捕獲装置によれば、一度に複数頭の獣類を捕獲することができる。
【図面の簡単な説明】
【００１３】
【図１】獣類捕獲装置の構成を示す斜視図。
【図２】柵ユニットの構成を示す正面図。
【図３】柵ユニットの構成を示す側面図。
【図４】扉ユニットの構成を示す正面図。
【図５】扉ユニットの構成を示す側面図。
【図６】柵部の構成を示す正面図。
【図７】柵部の構成を示す側面図。
【図８】ガイド枠部の構成を示す正面図。
【図９】落とし扉の構成を示す正面図。
【図１０】センサの構成を示す模式図。
【図１１】制御部の構成を示すブロック図。
【図１２】履歴テーブルの一例を示す模式図。
【図１３】連結コイルによる連結方法を示す模式図。
【図１４】獣類捕獲装置の監視動作中における入頭数カウント処理のフローチャート。
【発明を実施するための形態】
【００１４】
以下、本発明の好ましい実施の形態を、図面を参照しながら説明する。
【００１５】
図１は、本実施の形態に係る獣類捕獲装置１の構成を示す斜視図である。図１に示すように獣類捕獲装置１は、横方向に並べて配設され、獣類捕獲装置１の側面部を構成する１４枚の柵ユニット１０〜１０及び２枚の扉ユニット１１，１１を備える。これらのユニットは、平面視で全体が矩形となるように配設される。なお、扉ユニット１１，１１は、図１に示すように、隣接する別の面にそれぞれ配設される。隣接するユニット同士は、当該ユニットの側縁部に連結コイル（図示せず）を巻き付けることで連結される。ここで、獣類捕獲装置１は上部を封鎖する天井部材等は備えておらず、獣類捕獲装置１の上方は開放されている。
【００１６】
また、獣類捕獲装置１は、扉ユニット１１，１１から獣類捕獲装置１内部への獣類の進入を赤外線により検知する２組のセンサ１２，１２と、センサ１２，１２の検知に基づいて扉ユニット１１，１１を閉鎖させる制御部（図示せず）と、を備える。なお、制御部の詳しい構成については後述する。
【００１７】
次に、各ユニットの構成について説明する。なお、以下の説明において、各ユニットを配設し、獣類捕獲装置１を組み立てたときに、各ユニットにおいて獣類捕獲装置１の外側を向く面をユニットの前面、獣類捕獲装置１の内側を向く面をユニットの後面と定義する。また、各ユニットを配設し、獣類捕獲装置１を組み立てたときに、各ユニットにおいて、地面と接する側をユニットの下側、それとは反対側をユニットの上側と定義する。
【００１８】
柵ユニット１０の構成について説明する。図２は柵ユニット１０の構成を示す正面図、図３は柵ユニット１０の構成を示す側面図である。柵ユニット１０は、直径６ｍｍの鉄線が等間隔になるよう縦横に直角に配設され、配設された鉄線の各交点が溶接された溶接金網１０ａと、溶接金網１０ａを挟むように配設され、溶接金網１０ａに溶接される直径１０ｍｍの連結鉄筋線１０ｂ，１０ｂと、を備えるパネル状ユニットである。溶接金網１０ａの大きさは、横１０００ｍｍ、縦２５００ｍｍである。連結鉄筋線１１ｂ，１１ｂの長さは、２５００ｍｍであり、溶接金網１０ａの長辺側両端に沿って溶接される。柵ユニット１０の下部は、下端から３００ｍｍの位置でユニットの後面に向かって直角に屈曲しており、屈曲部１０ｃを構成する。また、柵ユニット１０の上部は、上端から５００ｍｍの位置でユニットの後面に向かって４５°傾斜しており、傾斜部１０ｄを構成する。
【００１９】
扉ユニット１１の構成について説明する。図４は扉ユニット１１の構成を示す正面図、図５は扉ユニット１１の構成を示す側面図である。扉ユニット１１は柵ユニット１０の下部を開口し、当該開口した部分を開閉可能なように扉を取り付けたユニットであって、柵を構成する柵部１１０と、柵部１１０と連結することによって、柵部１１０との間に扉のガイドを構成するガイド枠部１１１と、柵部１１０とガイド枠部１１１とを連結する６つのブラケット１１２〜１１２と、連結された柵部１１０及びガイド枠部１１１に沿って昇降することが可能な落とし扉１１３と、を備える。
【００２０】
図６は柵部１１０の構成を示す正面図、図７は柵部１１０の構成を示す側面図である。柵部１１０は、直径６ｍｍの鉄線が等間隔になるよう縦横に直角に配設され、配設された鉄線の各交点が溶接された溶接金網１１０ａと、直径１０ｍｍの連結鉄筋線１１０ｂ，１１０ｂと、溶接金網１１０ａ及び連結鉄筋線１１０ｂ，１１０ｂが溶接される枠組となる縦アングル１１０ｅ，１１０ｅ及び横アングル１１０ｆ，１１０ｆと、落とし扉１１３を昇降するための開閉トリガＴと、を有する。縦アングル１１０ｅのサイズはＬ３×４０×４０×２０００であり、横アングル１１０ｆのサイズはＬ３×４０×４０×１０００である。横アングル１１０ｆ，１１０ｆは、縦アングル１１０ｅ，１１０ｅの中間部分及び下端のそれぞれに溶接される。これにより、縦アングル１１０ｅ，１１０ｅ及び横アングル１１０ｆ，１１０ｆは、柵部１１０の枠組となる。
【００２１】
溶接金網１１０ａの大きさは、縦１２００ｍｍ、横１０００ｍｍであり、柵部１１０の枠組の上部に溶接される。ここで、枠組に溶接されるのは、溶接金網１１０ａの下部７００ｍｍのみであり、溶接金網１１０ａの上部５００ｍｍは、枠組と溶接されず、ユニットの後面に向かって４５°傾斜した傾斜部１１０ｄを構成する。柵部１１０の下部は開口しており、捕獲対象となる獣類が侵入するための進入部１１０ｇを構成する。また、連結鉄筋線１１０ｂ，１１０ｂは、縦アングル１１０ｅ，１１０ｅそれぞれに溶接される。また、縦アングル１１０ｅ，１１０ｅの中間部分に溶接された横アングル１１０ｆには、開閉トリガＴが配設される。
【００２２】
開閉トリガＴは、プル型ソレノイドを備える。プル型ソレノイドは、プランジャと呼ばれる可動鉄棒を有しており、初期の状態ではプランジャは突出しているが、プル型ソレノイドに電流が流れると、プランジャはプル型ソレノイド内部に吸引される。本実施の形態では、開閉トリガＴは、初期の状態ではプル型ソレノイドの突出したプランジャが落とし扉１１３を保持し、プル型ソレノイドに電流が流れた場合に、落とし扉１１３を保持しているプランジャがプル型ソレノイド内部に吸引され、落とし扉１１３が落下するように構成されている。
【００２３】
図８はガイド枠部１１１の構成を示す正面図である。ガイド枠部１１１は、縦アングル１１１ａ，１１１ａ及び横アングル１１１ｂ，１１１ｂを有する。縦アングル１１１ａのサイズは、Ｌ５×４０×４０×１２００ｍｍであり、横アングル１１１ｂのサイズは、Ｌ５×４０×４０×１０００ｍｍである。ここで、横アングル１１１ｂ，１１１ｂは、縦アングル１１１ａ，１１１ａの上端から２００ｍｍの位置及び下端のそれぞれに溶接される。
【００２４】
ガイド枠部１１１は、柵部１１０の進入部１１０ｇの前面に配設され、ガイド枠部１１１と柵部１１０とは、ブラケット１１２により連結される。このとき、ガイド枠部１１１と柵部１１０とは、約２０ｍｍ程度の間隙を空けて連結される。この間隙は落とし扉１１３のガイドとして機能する。
【００２５】
図９は落とし扉１１３の構成を示す正面図である。落とし扉１１３は、直径６ｍｍの鉄線が等間隔になるよう縦横に直角に配設され、配設された鉄線の各交点が溶接された溶接金網１１３ａと、溶接金網１１３ａを補強する直径１０ｍｍの鉄筋線１１３ｂと、を有する。溶接金網１１３ａの大きさは、縦１０１０ｍｍ、横１０００ｍｍである。鉄筋線１１３ｂは、溶接金網１１３ａの四辺を取り囲むようにして、溶接金網１１３ａに溶接される。落とし扉１１３は、柵部１１０及びガイド枠部１１１それぞれの縦アングルに沿って昇降可能なように、柵部１１０とガイド枠部１１１との間に設けられた間隙に配設される。
【００２６】
図１０はセンサ１２の構成を示す模式図である。センサ１２は、赤外線遮断式センサであり、赤外線投光器１２１と、赤外線受光器１２２と、を備える。赤外線投光器１２１は、２つの投光部１２１ａ，１２１ｂと、投光部１２１ａ，１２１ｂを支持する支持部１２１ｃと、を有する。赤外線受光器１２２は、２つの受光部１２２ａ，１２２ｂと、受光部１２２ａ，１２２ｂを支持する支持部１２２ｃと、を有する。図１０に示すように、赤外線投光器１２１と赤外線受光器１２２とは進入部１１０ｇの前面に、進入部１１０ｇを挟むように、且つ投光部１２１ａと受光部１２２ａとが対向し、投光部１２１ｂと受光部１２２ｂとが対向するように配設される。投光部１２１ａ，１２１ｂは、赤外線を放射し、受光部１２２ａ，１２２ｂは、投光部１２１ａ，１２１ｂそれぞれから放射される赤外線を受光するように構成されている。さらに、受光部１２２ａ，１２２ｂは、投光部１２１ａ，１２１ｂからの赤外線を受光できなかった場合に、信号を発信するように構成されている。ここで、獣類が進入部１１０ｇを通過し獣類捕獲装置１内に進入又は退出するとき、赤外線投光器１２１及び赤外線受光器１２２の間を通過するため、獣類が投光部１２１ａ，１２１ｂと受光部１２２ａ，１２２ｂとの間を遮断し、受光部１２２ａ，１２２ｂは、投光部からの赤外線を受光できなくなる。これにより、受光部１２２ａ，１２２ｂは、獣類の通過に基づいて信号を発信する。なお、本実施の形態では、図１０に示すように、投光部１２１ｂ及び受光部１２２ｂは、進入部１１０ｇの近傍に配置され、投光部１２１ａ及び受光部１２２ａは、投光部１２１ｂ及び受光部１２２ｂよりも進入部１１０ｇから離れた位置に配置される。
【００２７】
図１１は、制御部１３の構成を示すブロック図である。制御部１３は、獣類捕獲装置１の捕獲動作を制御するための制御装置であって、演算処理部１３１と、タッチパネル式表示部１３２と、記録部１３３と、入出力ポート１３４と、を有している。演算処理部１３１は、タッチパネル式表示部１３２、記録部１３３、及び入出力ポート１３４それぞれと接続されており、タッチパネル式表示部１３２、記録部１３３、及び入出力ポート１３４それぞれとデータ又は信号等をやりとりすることが可能なように構成されている。タッチパネル式表示部１３２は、入力部及び表示部を兼ねた入出力インタフェースであり、獣類捕獲装置１を使用する使用者がタッチパネル式表示部１３２を操作することで、獣類捕獲装置１の動作条件等を設定することができる。記録部１３３は、獣類の獣類捕獲装置１内への進入及び退出の検知履歴を記録する履歴テーブルを格納する記録領域を有している。図１２は、履歴テーブルＤ１の一例を示す模式図である。履歴テーブルＤ１には、獣類の進入又は退出した扉ユニットを示す入出扉ユニット情報Ｄ１０１と、獣類の進入又は退出を検知した日時を示す入出時間情報Ｄ１０２と、獣類が進入したか退出したかを示す入出判定情報Ｄ１０３と、を要素として含んでいる。ここで、制御部１３は、タッチパネル式表示部１３２に、履歴テーブルＤ１に記録された情報を表示することができる。これにより、使用者は、タッチパネル式表示部１３２を操作することで、履歴テーブルＤ１に記録された情報を閲覧することができる。入出力ポート１３４は、受光部１２２ａ，１２２ｂからの信号を受信できるように、センサ１２，１２と接続されている。これにより、演算処理部１３１は、入出力ポート１３４を介してセンサ１２，１２から発信される信号を受信し、当該信号に基づいて、獣類の獣類捕獲装置１内への進入及び退出を判定する。具体的な判定方法を以下に説明する。
【００２８】
制御部１３の演算処理部１３１による獣類の進入及び退出の判定方法について、具体的な動作を説明する。本実施の形態では、上述のように、投光部１２１ｂ及び受光部１２２ｂは、進入部１１０ｇの近傍に配置され、投光部１２１ａ及び受光部１２２ａは、投光部１２１ｂ及び受光部１２２ｂよりも進入部１１０ｇから離れた位置に配置されている。このため、獣類が進入部１１０ｇから獣類捕獲装置１内部に進入する場合、獣類は、まず投光部１２１ａ及び受光部１２２ａの間を通過し、その後、投光部１２１ｂ及び受光部１２２ｂの間を通過する。よって、獣類が獣類捕獲装置１内部に進入する場合は、まず受光部１２２ａが信号を発信し、次に受光部１２２ｂが信号を発信する。逆に、獣類が進入部１１０ｇから獣類捕獲装置１外部に退出する場合、獣類は、まず投光部１２１ｂ及び受光部１２２ｂの間を通過し、その後、投光部１２１ａ及び受光部１２２ａの間を通過する。よって、獣類が獣類捕獲装置１外部に退出する場合は、まず受光部１２２ｂが信号を発信し、次に受光部１２２ａが信号を発信する。このため、演算処理部１３１は、まず受光部１２２ａから信号を受信し、次に受光部１２２ｂから信号を受信した場合は、獣類が獣類捕獲装置１内部に進入したと判定する。逆に、まず受光部１２２ｂから信号を受信し、次に受光部１２２ａから信号を受信した場合は、獣類が獣類捕獲装置１外部に退出したと判定する。
【００２９】
また、入出力ポート１３４は開閉トリガＴ，Ｔと電気的に接続されており、演算処理部１３１からの信号に基づいて、開閉トリガＴ，Ｔそれぞれに電流を流し、開閉トリガＴ，Ｔそれぞれを動作させることができる。
【００３０】
本実施の形態では、扉ユニット１１，１１は２つ備えられている。このため、進入部１１０ｇも、扉ユニット１１と同様に２つ設けられる。このように複数の進入部を設けることで、それぞれの進入部から獣類を獣類捕獲装置１内に誘い入れることができ、効率的に獣類を捕獲することができる。
【００３１】
また、本実施の形態では、扉ユニット１１，１１は、隣接する別の面にそれぞれ配設されている。このため、扉ユニット１１，１１それぞれの進入部１１０ｇ，１１０ｇは、それぞれ別の方向を向く。これにより、複数の方向から獣類を獣類捕獲装置１内に誘い入れることができ、効率的に獣類を捕獲することができる。
【００３２】
また、本実施の形態では、複数の柵ユニット１０及び複数の扉ユニット１１を連結することで、獣類捕獲装置１を構成している。このため、任意の数のユニットを自在に連結することが可能であり、柵ユニット１０又は扉ユニット１１の数を増減することで、獣類捕獲装置１のサイズ又は形状を容易に変更することができる。さらに、獣類捕獲装置１は自在に分解可能な複数のユニットを有するため、ユニット毎に分解することで、装置自体を容易に移動させることができる。
【００３３】
また、本実施の形態では、柵ユニット１０及び扉ユニット１１の上部にユニットの後面に向かって傾斜する傾斜部が設けられており、この傾斜部が獣返しとして働くため、上方を封鎖するための天井部材等を備えずとも、獣類捕獲装置１内に捕獲された獣類がユニットを飛び越えて、獣類捕獲装置１から脱出するのを防ぐことができる。これにより、獣類捕獲装置１の上部に、別途、捕獲された獣類の脱出を防ぐための天部材等を設ける必要がなく、装置を軽量化することができる。さらに、上部に別途、天部材等を設ける必要がないために、当該天部材等にサイズ及び形状が依存することがなく、獣類捕獲装置１のサイズ又は形状を容易に変更することができる。
【００３４】
また、本実施の形態では、柵ユニット１０の下部にはユニットの後面に向かって屈曲した屈曲部１０ｃが設けられており、この屈曲部１０ｃが、獣類捕獲装置１内に捕獲された獣類が穴を掘り、獣類捕獲装置１から脱出するのを防ぐ。これにより、獣類捕獲装置１の底部に、別途、獣類の脱出を防ぐための底部材等を設ける必要がなく、装置を軽量化することができる。さらに、底部に別途、底部材等を設ける必要がないために、当該底部材等にサイズ及び形状が依存することがなく、獣類捕獲装置１のサイズ又は形状を容易に変更することができる。
【００３５】
上記のような構成の獣類捕獲装置１の使用方法について、以下に説明する。
まず、各ユニットの連結方法について説明する。獣類捕獲装置１を設置する設置者は、隣接する柵ユニット１０，１０それぞれの連結鉄筋線１０ｂ，１０ｂに各ユニットを連結するための連結部材である連結コイル１４を巻き付ける。これにより、連結鉄筋線１０ｂ，１０ｂが結束され、当該柵ユニット１０，１０が連結される（図１３を参照）。また、設置者は、隣接する柵ユニット１０及び扉ユニット１１についても、同様にしてそれぞれの連結鉄筋線１０ｂ，１１０ｂに連結コイル１４を巻き付ける。これにより、連結鉄筋線１０ｂ，１１０ｂが結束され、当該柵ユニット１０及び扉ユニット１１が連結される。
【００３６】
このように、本実施の形態では、各ユニットは、連結鉄筋線を連結部材で結束することにより連結される。このため、容易に且つ短時間で組み立てたり、分解したりすることができる。
【００３７】
また、本実施の形態では、各側縁部は、連結部材により結束されているだけであるため、従来用いられているボルト止め又は通し部材等による連結のように堅固なものではなく、ある程度の弾力を有する弾性的な連結となる。このように、隣接する各ユニットそれぞれの側縁部は弾性的に連結されるため、獣類捕獲装置１全体は軟構造となる。これにより、獣類捕獲装置１内に捕獲された獣類が、獣類捕獲装置１内から脱出するために暴れ、側面部に衝撃が加わったとしても、各ユニットの連結箇所で当該衝撃を吸収することができ、獣類捕獲装置１の大きな変形や破損等を防ぐことができる。
【００３８】
また、従来用いられているボルト止め又は通し部材等の連結部材による連結の場合、堅固に各構成部材を連結するために、構成部材に強い衝撃が加わる等によって周縁部が変形すると、それに伴って連結部材も変形してしまい、解体が困難となってしまう。一方、本実施の形態では、連結部材は連結鉄筋線を結束しているだけであるため、連結鉄筋線に変形が生じた場合であっても、連結部材は当該変形に対応して回転等の移動をすることが可能である。これにより、連結鉄筋線が変形した場合でも、連結部材が大きく変形することを防ぐことができる。また、たとえ連結部材が大きく変形してしまった場合であっても、当該連結部材は連結鉄筋線を結束するように連結鉄筋線に巻き付けられているだけであるため、容易に取り外すことができる。
【００３９】
次に、獣類捕獲装置１の固定方法について説明する。設置者は、柵ユニット１０の屈曲部１０ｃにペグを打ち込むことにより、当該柵ユニット１０を地面に固定する。また、このように全ての柵ユニット１０〜１０を地面に固定することで、上述のようにして柵ユニット１０と連結された扉ユニット１１も固定される。
【００４０】
次に、上記のようにして設置した獣類捕獲装置１の動作について説明する。
まず、獣類捕獲装置１を使用する使用者は、制御部１３の電源を入れ、制御部１３を起動させる。制御部１３が起動すると、使用者は、動作準備として、タッチパネル式表示部１３２を操作し、監視動作を開始する動作開始時間、監視動作を終了する動作終了時間、及び捕獲目標となる目標頭数を設定する。なお、本実施の形態では、獣類捕獲装置１は、捕獲動作モード及び監視動作モードの２つの動作モードを有しており、上記の動作準備において、目標頭数を１以上に設定した場合、捕獲動作モードが実行される。他方、目標頭数を０と設定した場合、監視動作モードが実行される。これらの動作モードにおける具体的な動作を以下に説明する。
【００４１】
まず、捕獲動作モードにおける獣類捕獲装置１の動作について説明する。
上述の動作準備が完了した後、動作開始時間に達すると、制御部１３の演算処理部１３１は自動的に監視動作を開始する。ここで、演算処理部１３１は、監視動作の開始時に獣類捕獲装置１内の獣類の数を示す入頭数を０に設定する。監視動作中に演算処理部１３１が入出力ポート１３４を介して、センサ１２，１２からの信号を受信すると、演算処理部１３１は入頭数カウント処理を行う。図１４は、演算処理部１３１が行う入頭数カウント処理のフローチャートである。演算処理部１３１がセンサ１２からの信号を受信すると、演算処理部１３１は当該信号に基づいて、獣類が獣類捕獲装置１内へ進入したか、獣類が獣類捕獲装置１外へ退出したかを判定する（ステップＳ１）。この結果、獣類が獣類捕獲装置１外へ退出したと判定されると（ステップＳ１で“退出”）、演算処理部１３１は入頭数を１だけデクリメントし（ステップＳ２）、獣類が退出した時間、獣類が退出した扉ユニット、及び獣類が退出したことを示す情報を記録部１３３の履歴テーブルＤ１に記録し（ステップＳ３）、そのまま入頭数カウント処理を終了する。その後、演算処理部１３１は、監視動作に復帰する。他方、獣類が獣類捕獲装置１内へ進入したと判定されると（ステップＳ１で“進入”）、演算処理部１３１は入頭数を１だけインクリメントし（ステップＳ４）、獣類が進入した時間、獣類が進入した扉ユニット、及び獣類が進入したことを示す情報を記録部１３３の履歴テーブルＤ１に記録する（ステップＳ５）。以上の処理の後、演算処理部１３１は、入頭数と設定された目標頭数とを比較し（ステップＳ６）、入頭数が目標頭数以上であった場合（ステップＳ６でＹＥＳ）、演算処理部１３１は、入出力ポート１３４を介して各扉ユニット１１，１１に設けられた開閉トリガＴ，Ｔを動作させ、進入部１１０ｇ，１１０ｇを閉鎖する（ステップＳ７）。その後、監視動作を終了させ（ステップＳ８）、入頭数カウント処理を終了する。他方、入頭数が目標頭数未満であった場合（ステップＳ６でＮＯ）、そのまま入頭数カウント処理を終了する。その後、演算処理部１３１は監視動作に復帰する。なお、監視動作中に動作終了時間に達した場合、演算処理部１３１は自動的に監視動作を終了する。
【００４２】
以上のように、本実施の形態では、複数の進入部１１０ｇ，１１０ｇを設け、且つ獣類捕獲装置１の内部に進入した獣類の頭数をカウントし、予め設定された目標頭数以上となった場合に捕獲動作を実行するため、従来の獣類捕獲装置と比較して、複数の獣類を高い確率で捕獲することができるようになり、捕獲効率が向上する。
【００４３】
次に、監視動作モードにおける獣類捕獲装置１の動作について説明する。
監視動作モードでは、上述の入頭数カウント処理におけるステップＳ６〜ステップＳ８の入頭数と目標頭数との比較及び進入部１１０ｇ，１１０ｇの閉鎖等の処理は行われず、ステップＳ１〜ステップＳ５までの進入か退出かの判定、入頭数のカウント、及び各種情報の履歴テーブルＤ１への記録のみが行われる。これにより、本実施の形態では、目標頭数を０と設定することで、入頭数のカウント及び履歴の記録のみを実行することができる。このため、獣類捕獲装置１を設置した後に、捕獲動作を行わず、獣類捕獲装置１内へ獣類を自由に出入りさせ、獣類の獣類捕獲装置１への警戒心を和らげるために設けられる慣らし期間において、入頭数のカウント及び履歴の記録を実行することで、所定の時間内における最大入頭数、又は所定の期間内における最大入頭数の平均値等の目標頭数の目安となる値を得ることができる。これにより、獣類捕獲装置１の設置場所における捕獲可能頭数を見積もることができ、捕獲効率の向上を図ることができる。
【００４４】
また、本実施の形態では、獣類が進入したか又は退出したかを、進入部１１０ｇ，１１０ｇ毎に記録している。このため、慣らし期間等において得られる進入部１１０ｇ，１１０ｇ毎の進入又は退出した頭数を確認することで、他の進入部と比較して、進入した獣類の数が少ない進入部、又は退出した獣類の数が多い進入部を知ることができる。これらの情報に基づいて、進入部１１０ｇの方向等の配置を変更することで、捕獲効率の向上を図ることができる。
【００４５】
また、本実施の形態では、獣類捕獲装置１は、動作開始時間及び動作終了時間に基づいて、自動で監視動作を開始及び終了するため、使用者等における監視の負担を軽減することができる。
【００４６】
（その他の実施の形態）
なお、上述した実施の形態では、赤外線遮断式のセンサ１２を用いて進入部１１０ｇからの獣類の進入及び退出を検知することで、獣類捕獲装置１内の獣類の頭数を検知するよう構成されているが、本発明はこれに限定されるものではない。例えば、進入部からの獣類の進入及び退出を検知することができるのであれば、赤外線反射式等の他の方式のセンサを用いてもよい。さらに、獣類捕獲装置１内の獣類の入頭数を検知することができるのであれば、カメラ等を用いて、獣類捕獲装置１内を監視し、画像処理により入頭数を検知するように構成されていてもよい。
【００４７】
また、上述した実施の形態では、獣類捕獲装置１は、使用者により設定された動作開始時間及び動作終了時間に基づいて、自動的に監視動作を開始又は終了するように構成されているが、本発明はこれに限定されるものではない。例えば、使用者が制御部１３を操作し、手動で監視動作を開始又は終了するように構成されていてもよい。
【００４８】
また、上述した実施の形態では、入頭数と目標頭数とを比較し、入頭数が目標頭数以上となった場合のみ、進入部１１０ｇ，１１０ｇを閉鎖するように構成されているが、本発明はこれに限定されるものではない。例えば、制御部が所定の回数以上の退出を連続で検知した場合において、入頭数がゼロでなければ、進入部１１０ｇ，１１０ｇを閉鎖するように構成されていてもよい。
【００４９】
また、上述した実施の形態では、監視動作中に動作終了時間に達した場合、そのまま監視動作を終了するように構成されているが、本発明はこれに限定されるものではない。例えば、監視動作中に動作終了時間に達した場合であっても、その時点における入頭数を確認し、入頭数が１以上の場合には、進入部１１０ｇ，１１０ｇを閉鎖するように構成されていてもよい。
【００５０】
また、上述した実施の形態では、入頭数が目標頭数に達した場合、進入部１１０ｇ，１１０ｇは、同時に閉鎖するように構成されているが、本発明はこれに限定されるものではない。例えば、進入部１１０ｇ，１１０ｇ毎に目標頭数を設定し、進入部１１０ｇ，１１０ｇ毎に入頭数カウント処理を行うことで、進入部１１０ｇ，１１０ｇそれぞれを個別に閉鎖するように構成されていてもよい。
【００５１】
また、上述した実施の形態では、目標頭数は、使用者が任意に設定するように構成されているが、本発明はこれに限定されるものではない。例えば、記録部に動作開始から所定の期間、入頭数のカウント及び日毎の最大入頭数の記録を行い、所定の期間が経過後、当該期間中に記録された最大入頭数の記録に基づいて、制御部１３が自動で目標頭数を設定するよう構成されていてもよい。
【００５２】
また、上述した実施の形態では、動作準備において設定される目標頭数に基づいて、動作モードが切り替わるように構成されているが、本発明はこれに限定されるものではない。例えば、動作モードを任意に切り替えることができるのであれば、タッチパネル式表示部１３２を操作することにより、動作モードを切替可能なように構成されていてもよい。
【００５３】
また、上述した実施の形態では、扉ユニット１１は、柵ユニット１０下部の進入部１１０ｇを、落とし扉１１３を昇降させることで開閉するよう構成されているが、本発明はこれに限定されるものではない。例えば、柵ユニット１０の一部を開閉することができるのであれば、開き戸又は引き戸等のような構成であってもよい。
【００５４】
また、上述した実施の形態では、扉ユニット１１は２つ備えられているが、本発明はこれに限定されるものではなく、獣類捕獲装置１内に獣類を効率的に誘い入れることができるように、扉ユニット１１は２つ以上備えられていればよい。
【００５５】
また、上述した実施の形態では、扉ユニット１１，１１は、隣接する別の面にそれぞれ配設されるが、本発明はこれに限定されるものではなく、獣類捕獲装置内に獣類を誘い入れることができるのであれば、対向する面又は同一の面等にそれぞれ配設されていてもよい。
【００５６】
また、上述した実施の形態では、柵ユニット１０〜１０及び扉ユニット１１，１１を連結することで捕獲空間を形成し、扉ユニット１１，１１の進入部１１０ｇ，１１０ｇを閉鎖することで獣類捕獲装置１内の獣類を捕獲するよう構成されているが、本発明はこれに限定されるものではない。例えば、ドロップネット等を用いて、捕獲空間内に進入した獣類を捕獲するよう構成されていてもよい。
【００５７】
また、上述した実施の形態では、柵ユニット１０及び扉ユニット１１は、平面視で矩形となるように配設されているが、本発明はこれに限定されるものではない。例えば、獣類捕獲装置１を設置する地形の形状又は状態に応じて、円形又は三角形等、他の形状となるように配設されていてもよい。
【００５８】
また、上述した実施の形態では、柵ユニット１０及び扉ユニット１１それぞれは、サイズ及び形状が同一のものを用いているが、本発明はこれに限定されるものではなく、複数のユニットをそれぞれ連結し、組み立てることが可能であれば、サイズ又は形状の違うユニットを用いてもよい。
【００５９】
また、上述した実施の形態では、獣類捕獲装置１は上部を封鎖する天井部材等は備えておらず、その上方は開放されているが、本発明はこれに限定されるものではない。例えば、獣類捕獲装置１のサイズ又は形状の変更に対応できるよう、サイズ又は形状等を調整することができるのであれば、上部を封鎖する部材としてネット又はシート等を備えていてもよい。
【００６０】
また、上述した実施の形態では、柵ユニット１０及び扉ユニット１１は、連結鉄筋線に連結コイル１４を巻き付けることで連結しているが、本発明はこれに限定されるものではない。例えば、各ユニットを連結することができるのであれば、ワイヤークリップ、シャックル、又はクランプ等を用いて連結されていてもよい。ここで、ワイヤークリップ、シャックル、又はクランプ等は取り付ける際に、ねじ締め等の手順が必要となるが、連結コイルを用いる場合、単純に連結鉄筋線に当該連結コイルを巻き付けるだけでよく、他の方法と比較して、より容易且つ短時間で組み立て又は分解をすることができる。このため、本実施の形態の発明では、各ユニットを連結するための連結部材は、連結コイル等のような螺旋状のものを用いることが望ましい。
【００６１】
また、上述した実施の形態では、柵ユニット１０及び扉ユニット１１に、鉄線を組み合わせた溶接金網を用いているが、本発明はこれに限定されるものではない。例えば、獣類捕獲装置１内に捕獲された獣類が脱出しないよう構成されているのであれば、溶接金網を用いている部位に、複数の鉄棒を配設することで、鉄柵を構成するようにしてもよい。しかし、複数の鉄棒を配設し、鉄柵を構成する等の場合、溶接金網を用いた場合と比較して、各ユニットの重量が重くなってしまう。このため、本発明では軽量化のために、溶接金網を用いることが望ましい。
【００６２】
また、上述した実施の形態では、柵ユニット１０及び扉ユニット１１の上部に設けられた傾斜部は、４５°傾斜するよう構成されているが、本発明はこれに限定されるものではなく、獣類捕獲装置内に捕獲された獣類がユニットを飛び越えて脱出することを防ぐことができるのであれば、角度は問わない。
【００６３】
また、上述した実施の形態では、複数の柵ユニット１０〜１０及び複数の扉ユニット１１，１１を連結することで、獣類を捕獲可能な捕獲空間を形成しているが、本発明はこれに限定されるものではなく、獣類が捕獲可能な捕獲空間を形成することができるのであれば、従来用いられているような箱罠又は囲い罠等を用いてもよい。
【産業上の利用可能性】
【００６４】
本発明の獣類捕獲装置は、獣類を捕獲するための獣類捕獲装置として有用である。
【符号の説明】
【００６５】
１    獣類捕獲装置
１０    柵ユニット
１１    扉ユニット
１２    センサ
１３    制御部
１４    連結コイル
１０ａ，１１０ａ，１１３ａ    溶接金網
１０ｂ，１１０ｂ    連結鉄筋線
１０ｃ    屈曲部
１０ｄ，１１０ｄ    傾斜部
１１０    柵部
１１１    ガイド枠部
１１２    ブラケット
１１３    落とし扉
１１０ｅ，１１１ａ    縦アングル
１１０ｆ，１１１ｂ    横アングル
１１３ｂ    鉄筋線
１２１    赤外線投光器
１２２    赤外線受光器
１２１ａ，１２１ｂ    投光部
１２２ａ，１２２ｂ    受光部
１２１ｃ，１２２ｃ    支持部
１３１    演算処理部
１３２    タッチパネル式表示部
１３３    記録部
１３４    入出力ポート
Ｔ    開閉トリガ
【図１】
0006018374.tif 000002
【図２】
0006018374.tif 000003
【図３】
0006018374.tif 000004
【図４】
0006018374.tif 000005
【図５】
0006018374.tif 000006
【図６】
0006018374.tif 000007
【図７】
0006018374.tif 000008
【図８】
0006018374.tif 000009
【図９】
0006018374.tif 000010
【図１０】
0006018374.tif 000011
【図１１】
0006018374.tif 000012
【図１２】
0006018374.tif 000013
【図１３】
0006018374.tif 000014
【図１４】
0006018374.tif 000015